(57)【要約】【課題】回転式の扉を閉じた際の当接音の発生が抑制された冷蔵庫を提供する。【解決手段】冷蔵庫１０は、冷蔵室１５を上下方向に仕切る仕切棚３０と、仕切棚３０の下方に引き出し可能な状態で配設された引出式収納容器３１と、引出式収納容器３１が収納されている際に前方開口部３７を塞ぎ、その上辺側が仕切棚３０に回動可能に取り付けられた回動扉３４と、回動扉３４が閉まる際に回転抵抗を発生させるオイルダンパ５０と、を具備する。係る構成により、回動扉３４を低速で閉動作させることで、回動扉３４が閉じる際に生じる当接音を小さくすることができる。【選択図】図３
2020041764.tif 000002
【特許請求の範囲】
【請求項１】
貯蔵室を仕切る仕切棚と、
前記仕切棚の下方に引き出し可能な状態で配設され、前方側に開口する前方開口部が形成された引出式収納容器と、
前記引出式収納容器が収納されている際に前記前方開口部を塞ぎ、前記仕切棚に回動可能に取り付けられた回動扉と、
前記回動扉に接続され、前記回動扉が閉まる際に回転抵抗を発生させるダンパと、を具備することを特徴とする冷蔵庫。
【請求項２】
前記仕切棚の前端側の下面に凹状領域を形成し、
前記ダンパを前記凹状領域に配設することを特徴とする請求項１に記載の冷蔵庫。
【請求項３】
幅方向に於ける前記仕切棚の端部に、前記凹状領域を形成することを特徴とする請求項２に記載の冷蔵庫。
【請求項４】
前記回動扉の上側辺には、略鈎状の回動支持部が形成され、
前記回動支持部に前記ダンパの回転軸が挿入されることを特徴とする請求項１から請求項３の何れかに記載の冷蔵庫。
【発明の詳細な説明】
【技術分野】
【０００１】
本発明は、冷蔵庫に関し、特に、引出式の収納容器の前面開口が回動扉で覆われる冷蔵庫に関する。
【背景技術】
【０００２】
一般的な冷蔵庫では、収納性を向上させるために、冷蔵室等の貯蔵室の内部に引出式の収納容器を設けることがある。
【０００３】
引出式の収納容器を有する冷蔵庫では、ガラスなどの仕切棚により貯蔵室が区切られる。そして、仕切棚の下方に、引出式の収納容器が配置される。収納容器の両側には、収納容器を前後方向にスライド可能に保持する保持機構が配設される。収納容器の前面開口は、仕切棚に回動可能に取り付けられたドアで覆われる。
【０００４】
このような収納容器は次のように動作する。即ち、使用者が収納容器を前方に向かって引き出すと、これに伴いドアは上辺を支点として回動し、収納容器の前面開口はドアにより覆われなくなる。よって、使用者は、前面開口を介して収納容器に収納された食品等の出し入れを行うことができる。その後、使用者が収納容器を奥側に向かって押圧することで収納容器を貯蔵室に収納すると、これに伴いドアは逆方向に回動し、収納容器の前面開口はドアで覆われる。
【０００５】
上記した構成の収納容器を有する冷蔵庫は、例えば以下の特許文献１に記載されている。
【先行技術文献】
【特許文献】
【０００６】
【特許文献１】特開２０１６−２００３１９号公報
【発明の概要】
【発明が解決しようとする課題】
【０００７】
しかしながら、上記した構成の冷蔵庫では、収納容器を収納させる際に騒音が発生してしまう恐れがあった。具体的には、使用者が収納容器を素早く奥側に戻すと、それに応じてドアが速く回動するため、ドアと収納容器の開口部とが接触することで大きな当接音が発生してしまう課題があった。
【０００８】
本発明は、上記の事情に鑑みてなされたものであり、本発明の目的とするところは、閉動作時に於けるドアと収納容器の開口部との当接音の発生が抑制された冷蔵庫を提供することにある。
【課題を解決するための手段】
【０００９】
本発明の冷蔵庫は、貯蔵室を仕切る仕切棚と、前記仕切棚の下方に引き出し可能な状態で配設され、前方側に開口する前方開口部が形成された引出式収納容器と、前記引出式収納容器が収納されている際に前記前方開口部を塞ぎ、前記仕切棚に回動可能に取り付けられた回動扉と、前記回動扉に接続され、前記回動扉が閉まる際に回転抵抗を発生させるダンパと、を具備することを特徴とする。
【００１０】
また、本発明の冷蔵庫では、前記仕切棚の前端側の下面に凹状領域を形成し、前記ダンパを前記凹状領域に配設することを特徴とする。
【００１１】
また、本発明の冷蔵庫では、幅方向に於ける前記仕切棚の端部に、前記凹状領域を形成することを特徴とする。
【００１２】
また、本発明の冷蔵庫では、前記回動扉の上側辺には、略鈎状の回動支持部が形成され、前記回動支持部に前記ダンパの回転軸が挿入されることを特徴とする。
【発明の効果】
【００１３】
本発明の冷蔵庫は、貯蔵室を仕切る仕切棚と、前記仕切棚の下方に引き出し可能な状態で配設され、前方側に開口する前方開口部が形成された引出式収納容器と、前記引出式収納容器が収納されている際に前記前方開口部を塞ぎ、前記仕切棚に回動可能に取り付けられた回動扉と、前記回動扉に接続され、前記回動扉が閉まる際に回転抵抗を発生させるダンパと、を具備することを特徴とする。これにより、本発明の冷蔵庫によれば、引出式収納容器を奥側に移動させることで回動扉を閉じる際に、ダンパが回転抵抗を回動扉に与えるので、回動扉が閉まる際の回動動作が遅くなる。よって、回動扉がソフトに閉じるようになり、回動扉が閉まる際に発生する回動扉と収納容器の開口部との当接音の発生を抑制することができる。
【００１４】
また、本発明の冷蔵庫では、前記仕切棚の前端側の下面に凹状領域を形成し、前記ダンパを前記凹状領域に配設することを特徴とする。これにより、本発明の冷蔵庫によれば、仕切棚の凹状領域にダンパが隠れるので、断熱扉を開けた状態でもダンパが外観に現れず、冷蔵庫の外観性を向上することができる。
【００１５】
また、本発明の冷蔵庫では、幅方向に於ける前記仕切棚の端部に、前記凹状領域を形成することを特徴とする。これにより、本発明の冷蔵庫によれば、ダンパを隠す効果を更に大きくすることができる。
【００１６】
また、本発明の冷蔵庫では、前記回動扉の上側辺には、略鈎状の回動支持部が形成され、前記回動支持部に前記ダンパの回転軸が挿入されることを特徴とする。これにより、本発明の冷蔵庫によれば、回転扉の回動支持部にダンパの回転軸を挿入する簡易な構成で、回転扉の回動動作を制御することができる。
【図面の簡単な説明】
【００１７】
【図１】本発明の実施形態に係る冷蔵庫を示す側方断面図である。
【図２】本発明の実施形態に係る冷蔵庫に組み込まれる仕切棚、引出式収納容器および回動扉を示す斜視図である。
【図３】本発明の実施形態に係る冷蔵庫を示す図であり、（Ａ）は仕切棚および回動扉を示す斜視図であり、（Ｂ）は仕切棚にオイルダンパが収納される部分を示す斜視図である。
【図４】本発明の実施形態に係る冷蔵庫を示す図であり、（Ａ）は回動扉およびオイルダンパを示す斜視図であり、（Ｂ）は回動扉とオイルダンパとが接続する部分を示す斜視図である。
【図５】本発明の実施形態に係る冷蔵庫に備えられる引出式収納容器の開閉状況を示す図であり、（Ａ）は引出式収納容器および回動扉を示す斜視図であり、（Ｂ）は収納状態に於ける引出式収納容器および回動扉を示す断面図であり、（Ｃ）は収納状態に於ける引出式収納容器および回動扉を示す側面図であり、（Ｄ）は引き出される途中の引出式収納容器および回動扉を示す断面図であり、（Ｅ）は引き出される途中に於ける引出式収納容器および回動扉を示す側面図である。
【図６】本発明の実施形態に係る冷蔵庫に備えられる引出式収納容器の開閉状況を示す図であり、（Ａ）は引出状態に於ける引出式収納容器および回動扉を示す断面図であり、（Ｂ）は引出状態に於ける引出式収納容器および回動扉を示す側面図であり、（Ｃ）は収納される途中の引出式収納容器および回動扉を示す断面図であり、（Ｄ）は収納される途中に於ける引出式収納容器および回動扉を示す側面図である。
【発明を実施するための形態】
【００１８】
以下、本発明の実施形態に係る冷蔵庫１０を図面に基づき詳細に説明する。尚、以下の説明では、上下方向は冷蔵庫１０の高さ方向を示し、左右方向は冷蔵庫１０の幅方向を示す、前後方向は冷蔵庫１０の奥行方向を示している。
【００１９】
図１は、冷蔵庫１０の風路の概略構成を示す側方断面図である。図１に示す如く、冷蔵庫１０は、本体としての断熱箱体１１を備え、断熱箱体１１の内部に食品等を貯蔵する貯蔵室を形成している。
【００２０】
断熱箱体１１は、前面に開口部を有する鋼板製の外箱１２と、外箱１２内に間隙を持たせて配設されると共に、前面に開口部を有する合成樹脂製の内箱１３と、外箱１２と内箱１３との間隙に充填発泡された発泡ポリウレタン製の断熱材１４と、から構成されている。
【００２１】
貯蔵室の内部は、保冷温度や用途に応じて複数の収納室に区分されている。上段から、冷蔵室１５、上部冷凍室１６、下部冷凍室１７、野菜室１８が形成されている。
【００２２】
断熱箱体１１の各収納室の前面は開口し、上記開口には、各々断熱扉１９〜断熱扉２２が開閉自在に設けられている。具体的には、断熱扉１９が冷蔵室１５の前面開口を塞ぎ、断熱扉２０が上部冷凍室１６の前面開口を塞ぎ、断熱扉２０が上部冷凍室１６の前方開口を塞ぎ、断熱扉２１が下部冷凍室１７の前方開口を塞ぎ、断熱扉２２が野菜室１８の前方開口を塞ぐ。断熱扉１９は、幅方向端部が断熱箱体１１に回動自在に取り付けられている。断熱扉２０、断熱扉２１および断熱扉２２は、前後方向に引出自在に断熱箱体１１に配設されている。断熱扉１９〜断熱扉２２は、断熱箱体１１と同様の断熱構造を有している。
【００２３】
冷蔵室１５と上部冷凍室１６とは断熱仕切壁３２で区画され、下部冷凍室１７と野菜室１８とは断熱仕切壁３３で区画されている。断熱仕切壁３２および断熱仕切壁３３は、断熱箱体１１と同様の断熱構造を有している。
【００２４】
上部冷凍室１６および下部冷凍室１７の後方には、冷却室２３が形成されており、冷却室２３の内部には冷却器２４が配置されている。冷却器２４と、圧縮機２９と、図示しない放熱器と、図示しない減圧手段とは、冷媒配管によって順次接続され、冷却装置としての蒸気圧縮式の冷凍サイクル回路を構成している。
【００２５】
また、冷蔵室１５の後方には、送風路２６が形成されており、送風路２６の一部を開口することで、吹出口２７が形成されている。
【００２６】
冷却器２４の上部には送風機２５が配設されており、冷却器２４により冷却された冷却室２３の内部の冷気は、送風機２５により各貯蔵室に送風される。具体的には、送風機２５により送風された冷気の一部は、送風路２６および吹出口２７を経由して、冷蔵室１５に供給される。また、送風機２５で送風された冷気の一部は、上部冷凍室１６および下部冷凍室１７にも供給される。更に、冷蔵室１５で送風された冷気の一部は、野菜室１８にも供給される。このようにすることで、冷蔵室１５、上部冷凍室１６、下部冷凍室１７および野菜室１８は、所定の温度帯域に冷却される。また、冷蔵室１５、上部冷凍室１６、下部冷凍室１７および野菜室１８に送風された冷気は、その後、図示しない帰還風路を経由して冷却室２３に帰還する。
【００２７】
冷却室２３の内部に於いて、冷却器２４の下方には、冷却器２４に付着した霜を除去するための除霜ヒータ２８が配設されている。
【００２８】
冷蔵室１５の内部には、内部空間を上下方向に区切る仕切棚３０が複数配設されている。最下部に配置された仕切棚３０の下方には、引出式収納容器３１が配置されている。引出式収納容器３１は、前後方向に引出自在に配設されている。引出式収納容器３１の前部上方には、回動扉３４が配置されている。回動扉３４は、仕切棚３０に対して回動自在に組み付けられており、引出式収納容器３１が奥側に押し込まれている収納状態では、回動扉３４は閉じている。一方、引出式収納容器３１が前方に引き出されている引出状態では、回動扉３４は開いている。このような状態は、図６等を参照して後述する。
【００２９】
図２は、引出式収納容器３１、回動扉３４および仕切棚３０を、前側上方から見た斜視図である。ここでは、引出式収納容器３１が上記した冷蔵室１５の奥側に収納されている収納状態を示している。
【００３０】
この図を参照して、引出式収納容器３１は、上部および前部上側に開口を有する容器である。引出式収納容器３１の上部開口は仕切棚３０により覆われ、引出式収納容器３１の前部上側開口は回動扉３４により覆われている。
【００３１】
引出式収納容器３１の右方側面の下部を、部分的に右方に向かって突出させることでレール部４２が形成されている。レール部４２は、前後方向に沿って略直線状に形成されている。レール部４２は、上記した内箱１３により摺動可能に支持される。
【００３２】
また、引出式収納容器３１の右方側面の中間部を右方に向かって壁状に突出させることで、ガイドリブ４１が形成されている。ガイドリブ４１の前方部分は、下方に向かって湾曲する湾曲形状を呈し、ガイドリブ４１の後方部分は、前後方向に沿って略直線形状に伸びている。
【００３３】
ここでは図示しないが、引出式収納容器３１の左方側面にも、上記したレール部４２およびガイドリブ４１が形成されている。
【００３４】
回動扉３４の右方端部には、側方突出部３５が形成されている。側方突出部３５は、後方に向かって立設された板状の部位である。側方突出部３５は、右方から見て、略三角形を呈している。側方突出部３５の後方端部を右方に向かって略円柱状に突出させることで円柱部３６が形成されている。
【００３５】
後述するように、引出式収納容器３１の前方への移動に伴い、引出式収納容器３１のガイドリブ４１が、回動扉３４の円柱部３６を押すことで、回動扉３４は開く方向に回動する。
【００３６】
図３を参照して、回動扉３４が仕切棚３０に取り付けられる構成を説明する。図３（Ａ）は仕切棚３０と回動扉３４とを離した状況を後側下方から見た斜視図であり、図３（Ｂ）は仕切棚３０にオイルダンパ５０が収納される構成を後側下方から見た拡大斜視図である。
【００３７】
図３（Ａ）を参照して、回動扉３４は、本体部４５と、側方突出部３５と、回動支持部５１，５２と、を有している。これらの部位は、射出成形された合成樹脂から成る。
【００３８】
本体部４５は、左右方向に沿って細長い長方形状の部位であり、上記した引出式収納容器３１の開口を塞ぐ機能を有する。
【００３９】
側方突出部３５は、上記したように、右方から見て三角形状を呈する部位であり、後方端部に円柱部３６が形成されている。側方突出部３５は、本体部４５の左右両端部にそれぞれ形成されている。円柱部３６は、上記した引出式収納容器３１のガイドリブ４１に接する部位である。
【００４０】
回動支持部５１は、本体部４５の上辺左端付近から、後方上側に向かって鈎状に突出する部位である。回動支持部５１の端部は、仕切棚３０の取付孔４３に回動自在に取り付けられる。取付孔４３は、仕切棚３０の下面に形成されたリブを円形に貫通することで形成されている。
【００４１】
回動支持部５２は、本体部４５の上辺右端部付近から、後方上側に向かって鈎状に突出する部位である。回動支持部５２には、オイルダンパ５０が接続される。回動支持部５２とオイルダンパ５０との関連構成は図４を参照して後述する。
【００４２】
図３（Ｂ）を参照して、オイルダンパ５０は、仕切棚３０の前側右方端部に形成された凹状領域３８に収納される。
【００４３】
凹状領域３８は、仕切棚３０の前側右方端部に形成され、側面部４６およびリブ４７で周囲から囲まれる部位である。側面部４６は、仕切棚３０の周縁部から下方に向かって立設された板状部位である。リブ４７は、仕切棚３０の内部に於いて、下方に向かって立設された板状部位である。
【００４４】
オイルダンパ５０は、凹状領域３８に収納される。オイルダンパ５０は、回動扉３４が閉じる際に抵抗力を発生させる部材であり、その具体的機能は後述する。オイルダンパ５０は、下方から被覆部材３９で覆われる。被覆部材３９およびオイルダンパ５０は、ビス４４により仕切棚３０に共締めされる。被覆部材３９を用いて、オイルダンパ５０を仕切棚３０に取り付けることで、オイルダンパ５０の取付構造を強固にすることができ、更に、オイルダンパ５０を下方から遮蔽することができる。
【００４５】
図４を参照して、回動扉３４とオイルダンパ５０との関連構成を説明する。図４（Ａ）は、回動扉３４とオイルダンパ５０とを離した状況を前側上方から見た斜視図であり、図４（Ｂ）はオイルダンパ５０と回動支持部５２とを離した状況を前側上方から見た拡大斜視図である。
【００４６】
図４（Ａ）を参照して、上記したように、回動扉３４の上辺には回動支持部５１および回動支持部５２が形成されている。回動支持部５２にオイルダンパ５０が接続されることで、後述するように、回動扉３４の閉動作が低速化される。一方、回動支持部５１は、上記したように、回転自在に仕切棚３０に接続される。
【００４７】
図４（Ｂ）を参照して、オイルダンパ５０は、左方に向かって延出する回転軸５３を有している。回転軸５３は、左方に沿って伸びる略棒状の鋼材である。回転軸５３の先端側の断面は、円の前後方向の両端部を切り欠いた非円形状とされている。
【００４８】
オイルダンパ５０は、右方から見て回転軸５３が時計回りに回転する際に、回転軸５３に抵抗力を付与する。更には、オイルダンパ５０は、右方から見て回転軸５３が反時計回りに回転する際にも、回転軸５３に抵抗力を付与する。
【００４９】
回動支持部５２の前側上方の右側面には、挿入孔４０が形成されている。右方から見た場合の挿入孔４０の形状は、回転軸５３の先端部分と略同一とされている。よって、回転軸５３の左端部分は、回動支持部５２の挿入孔４０に隙間無く挿入されている。
【００５０】
回転軸５３を挿入孔４０に挿入することで、オイルダンパ５０の回転軸５３と、回動扉３４の回動支持部５２とは、回転方向に於いて固定される。即ち、回動扉３４を回転させると、オイルダンパ５０の回転軸５３も同期して回転するようになる。このことから、回動扉３４が開動作する際には、オイルダンパ５０は開動作を阻害しない程度の回転抵抗を発生させる。また、オイルダンパ５０は、回動扉３４が閉動作する際には、回動扉３４に回転抵抗を与え、回動扉３４の閉動作を低速化する。
【００５１】
図５および図６を参照して、引出式収納容器３１および回動扉３４の動作を説明する。
【００５２】
図５（Ａ）、図５（Ｂ）および図５（Ｃ）に、収納状態の引出式収納容器３１を示す。図５（Ａ）は引出式収納容器３１および回動扉３４を示す斜視図である。図５（Ｂ）は図５（Ａ）の切断面線Ａ−Ａにおける断面図である。図５（Ｃ）は図５（Ａ）に示す引出式収納容器３１を右方から見た側面図である。
【００５３】
図５（Ｂ）および図５（Ｃ）を参照して、収納状態に於いては、引出式収納容器３１は冷蔵室１５の奥側に配置されており、引出式収納容器３１の上側開口は仕切棚３０で覆われ、引出式収納容器３１の前側開口は回動扉３４で覆われている。係る構成により、引出式収納容器３１に収納された被貯蔵物を、引出式収納容器３１の内部で好適に冷蔵保存することができる。
【００５４】
図５（Ｄ）および図５（Ｅ）に、使用者が引出式収納容器３１を前方に向かって引き出す途中の状況を示す。図５（Ｄ）は、この状況に於ける、図５（Ａ）の切断面線Ａ−Ａの断面図である。図５（Ｅ）は、この状況に於いて、図５（Ａ）に示す引出式収納容器３１を右方から見た側面図である。
【００５５】
図５（Ｅ）に示すように、引出式収納容器３１を手前に引き出すと、引出式収納容器３１の側面に形成されたガイドリブ４１に、回動扉３４の側方突出部３５の先端に形成された円柱部３６が接触する。ガイドリブ４１は、後部が上方に向かって湾曲する湾曲形状を呈している。よって、引出式収納容器３１が前方に向かって移動すると、引出式収納容器３１のガイドリブ４１が、回動扉３４の円柱部３６を持ち上げる。
【００５６】
このことから、回動扉３４はその上端を支点として徐々に時計回りに回動する。このように成ると、図５（Ｄ）に示すように、回動扉３４の下端と、引出式収納容器３１との間に間隙が形成されている。回動扉３４が開動作する際には、上記したオイルダンパ５０は抵抗力を発生さるが、その抵抗力は引出式収納容器３１および回動扉３４の開動作を阻害しない程度である。
【００５７】
図６（Ａ）および図６（Ｂ）に、使用者が引出式収納容器３１を前方に向かって完全に引き出した引出状態を示す。図６（Ａ）は、この状況に於ける、図５（Ａ）の切断面線Ａ−Ａの断面図である。図６（Ｂ）は、この状況に於いて、図６（Ａ）に示す引出式収納容器３１を右方から見た側面図である。
【００５８】
図６（Ｂ）を参照して、引出式収納容器３１を前方まで引き出すと、回動扉３４の側方突出部３５の先端に形成された円柱部３６は、ガイドリブ４１の平坦な後方部分に乗り上げている。これより、回動扉３４は時計回りに更に回動し、回動扉３４の本体部４５は、仕切棚３０によりも上方に配置されている。更に、引出式収納容器３１の大部分は仕切棚３０よりも前方に配置されている。
【００５９】
また、図６（Ａ）に示すように、引出式収納容器３１の前方開口部３７は、仕切棚３０および回動扉３４で覆われていない。よって、使用者は、食品等の貯蔵物を、前方開口部３７を介して出し入れすることができる。
【００６０】
図６（Ｃ）および図６（Ｄ）に、使用者が引出式収納容器３１を奥側に収納する途中の状況を示す。図６（Ｃ）は、この状況に於ける、図５（Ａ）の切断面線Ａ−Ａの断面図である。図６（Ｄ）は、この状況に於いて、図６（Ａ）に示す引出式収納容器３１を右方から見た側面図である。
【００６１】
図６（Ｄ）を参照して、使用者が引出式収納容器３１の前面を後方に向かって押圧すると、引出式収納容器３１は冷蔵室１５の後方にスライドする。
【００６２】
引出式収納容器３１が後方に向かって移動すると、引出式収納容器３１のガイドリブ４１が、回動扉３４の円柱部３６を支持しなくなる。よって、回動扉３４は自重により、閉まる方向、即ち反時計回りに回動する。
【００６３】
ここで、図４を参照して説明したように、回動扉３４の回動支持部５２を回動可能に支持するオイルダンパ５０は、回動扉３４が反時計回りに回転する際に、回転抗力を発生する。よって、使用者が引出式収納容器３１を素早く後方にスライドさせても、回動扉３４は抗力を受けながら反時計回りにゆっくりと回転する。よって、回動扉３４が完全に閉まることにより、回動扉３４が引出式収納容器３１に当接しても、その当接により大きな当接音が発生することはない。更には、回動扉３４がゆっくりと閉じることで高級感を醸し出すことができる。
【００６４】
更に、本実施形態によれば、図５（Ｄ）および図５（Ｅ）を参照して説明したように、回動扉３４が開動作する際には、オイルダンパ５０から生じる回転抵抗は開動作を阻害しない程度であるので、使用者は無理なく引出式収納容器３１を手前に素早く引き出すことができる。
【００６５】
更に、本実施形態によれば、図３（Ｂ）を参照して説明したように、オイルダンパ５０は、側面部４６およびリブ４７で周囲から囲まれる仕切棚３０に配設される。これにより、使用者が図１に示した断熱扉１９を開いた場合であっても、使用者の視界にオイルダンパ５０が入ることがない。よって、冷蔵室１５の内部に於いて、回動扉３４の周辺部の外観性を向上させることができる。
【００６６】
以上、本発明の実施形態を示したが、本発明は、上記実施形態に限定されるものではない。
【符号の説明】
【００６７】
１０   冷蔵庫
１１   断熱箱体
１２   外箱
１３   内箱
１４   断熱材
１５   冷蔵室
１６   上部冷凍室
１７   下部冷凍室
１８   野菜室
１９   断熱扉
２０   断熱扉
２１   断熱扉
２２   断熱扉
２３   冷却室
２４   冷却器
２５   送風機
２６   送風路
２７   吹出口
２８   除霜ヒータ
２９   圧縮機
３０   仕切棚
３１   引出式収納容器
３２   断熱仕切壁
３３   断熱仕切壁
３４   回動扉
３５   側方突出部
３６   円柱部
３７   前方開口部
３８   凹状領域
３９   被覆部材
４０   挿入孔
４１   ガイドリブ
４２   レール部
４３   取付孔
４４   ビス
４５   本体部
４６   側面部
４７   リブ
５０   オイルダンパ
５１   回動支持部
５２   回動支持部
５３   回転軸
【図１】
2020041764.tif 000003
【図２】
2020041764.tif 000004
【図３】
2020041764.tif 000005
【図４】
2020041764.tif 000006
【図５】
2020041764.tif 000007
【図６】
2020041764.tif 000008